(57)【特許請求の範囲】
【請求項１】
エジェクト機構付きＰＣカード用カードコネクタであって、ＰＣカードに接続される複数の端子ピンが配列されたヘッダ部と、このヘッダ部の両側端部から延びＰＣカードの側縁部をＰＣカードの挿抜方向に沿って案内する一対の対向した腕部とを有するコネクタフレームと、
ＰＣカードに係合する係合部を有し、ＰＣカードの挿抜方向に沿って案内されるエジェクト板と、
エジェクト板と回動自在に連結される連結部と、この連結部から離隔した位置で前記ヘッダ部に回動可能に支えられる支持部と、この支持部から連結部の反対側に延びてコネクタフレームの側方に突出する突出部とを有するリンク部材と、コネクタフレームの側方でヘッダ部に近接して配置される内端部と、ヘッダ部から離隔配置され且つ押圧力を受ける外端部とを有し、ヘッダ部から離隔する外方に繰出される繰出し位置とヘッダ部に近接する内方に押込まれる押込み位置との間で移動されるプッシュロッドと、
繰出し位置に向けてプッシュロッドを付勢する付勢手段と、
外端部から受ける押圧力によりプッシュロッドが繰出し位置から押込み位置に向けて移動される時に、リンク部材を介してエジェクト板をＰＣカードの抜去方向に移動し、プッシュロッドが押込み位置に配置され且つ押圧力を解除された時に、押込み位置よりも僅かに側方に配置される保持位置にプッシュロッドを係止し、保持位置のプッシュロッドが外端部を介して押圧力を受けた時に、プッシュロッドの係止を解除してプッシュロッドを繰出し位置に復帰させる作動装置と、
を具備し、
前記作動装置は、リンク部材の突出部と当接可能にプッシュロッドの内端部に配置され且つプッシュロッドの移動方向に沿って内端部と一体で移動するとともにプッシュロッドの移動方向と略直角な方向に沿って内端部に対してリニアに移動可能なアクチュエータ部材と、アクチュエータ部材を移動させるカムとを備え、
前記カムは、プッシュロッドが繰出し位置から押し込み位置に移動される時に、アクチュエータ部材がプッシュロッドの移動方向で内端部により少なくとも２点で支持され且つプッシュロッドの移動方向でリンク部材の突出部と当接するようにアクチュエータ部材を移動させる駆動部と、プッシュロッドが押込み位置に配置され且つ押圧力を解除された時に、アクチュエータ部材をリンク部材の突出部と当接不能な位置に係止して、プッシュロッドを保持位置に係止するとともにプッシュロッドが繰出し位置に復帰するのを阻止する係止部と、保持位置のプッシュロッドが外端部を介して押圧力を受けた時に、アクチュエータ部材の係止を解除してこれを前記駆動部に向けて案内するとともに、プッシュロッドを繰出し位置に復帰させる復帰部とを有する、
ことを特徴とするカードコネクタ。
【請求項２】
前記リンク部材の突出部は、ヘッダ部の側方に突出する突片部と、突片部に係着され且つコネクタフレームの腕部に沿ってアクチュエータ部材と当接可能な位置まで延びるロッドとからなることを特徴とする請求項１に記載のカードコネクタ。
【請求項３】
前記コネクタフレームは、前記リンク部材の突片部が突出する側に配置されて前記カムを形成した側部突出部と、この側部突出部に形成されて前記プッシュロッドの内端部をＰＣカードの挿抜方向に沿って案内する案内レールとを有し、前記プッシュロッドの内端部は、この案内レールに沿って摺動する断面が凹状のスライダ部を有し、前記アクチュエータ部材は、このスライダ部の底面に形成された開口内に装着され且つカムに重なるように配置されていることを特徴とする請求項１または請求項２に記載のカードコネクタ。
【請求項４】
前記プッシュロッドは、前記スライダ部の一端に連結されて前記付勢手段による付勢力を受ける作動アームを有し、この作動アームの外端部が押圧力を受けることを特徴とする請求項３に記載のカードコネクタ。
【請求項５】
前記カムは、側部突出部に設けた溝を有し、前記アクチュエータ部材は、この溝に沿って案内される従動ピンを有し且つ側部突出部に向けてばね付勢され、この従動ピンが溝の底壁に接触することを特徴とする請求項３に記載のカードコネクタ。
【発明の詳細な説明】
【０００１】
【発明の属する技術分野】
本発明は、コンピュータ等の電子機器にＰＣカードを電気的および機械的に接続するためのカードコネクタに関し、特に、エジェクト機構付きＰＣカード用カードコネクタに関する。
【０００２】
【従来の技術】
ＰＣカードを装着した状態でも、ＰＣカード抜去用のプッシュボタンを非装着状態と同じ位置に保持し、ＰＣカードを抜去するときにのみプッシュボタンを突出させることのできるエジェクト機構を備えたカードコネクタの例が特開平８−９６８９１号、米国特許第５，５５８，５２７号および第５，５７５，６６９号に記載されている。
【０００３】
これらのエジェクト機構は、基本的には、外端部にプッシュボタンを有し且つばねによって外方に向けて付勢される操作ロッドと、レバーを介してＰＣカード抜去用プレートを駆動する駆動ロッドと、カム駆動されて外側の操作ロッドと内側の駆動ロッドとを連結および分離する中間部材と、これらの操作ロッドと駆動ロッドとを摺動自在に案内するケースとを備えている。前記ケースの底壁には、その凸設端側が外側に配置され且つ凹設端側が内側に配置された大略ハート型状のカム溝が形成されている。操作ロッドから突出する従動ピンが前記カム溝と係合しており、操作ロッドが移動される時に、従動ピンがカム溝内を一定方向に沿って移動することができる。通常の状態では、従動ピンが大略ハート型状のカム溝の凹設端側の係止部内に配置されており、操作ロッドはばねの付勢力に抗して保持されている。したがって、プッシュボタンは電子機器の外側に大きく突出しない。そのため、プッシュボタンの誤操作が防止されるとともに、プッシュボタンと他の装置等との干渉も防止される。
【０００４】
ＰＣカードを抜去するためにプッシュボタンを軽く押圧すると、従動ピンが大略ハート型状のカム溝の前記係止部から押出され、この後、従動ピンはばねの付勢力によりカム溝内を凸設端側に移動され、プッシュボタンが電子機器の外側に大きく突出される。この時、中間部材もカム駆動されて、操作ロッドから駆動ロッドに力伝達可能な状態に配置される。そして、外側に大きく突出したプッシュボタンを押圧すると、中間部材を介して、プッシュボタンに作用する押圧力が操作ロッドから駆動ロッドに伝達され、レバーおよびＰＣカード抜去用プレートが駆動される。したがって、ＰＣカード抜去用プレートの移動に伴って、ＰＣカードが移動されてカードコネクタから抜去される。ＰＣカードが抜去された後、プッシュボタンに作用する押圧力が解除されると、操作ロッドの従動ピンがハート型状のカム溝の係止部内に再度保持される。この時、中間部材、駆動ロッドおよびＰＣカード抜去プレートは、操作ロッドと干渉することなく、自由に移動できる。
【０００５】
【発明が解決しようとする課題】
ところで、プッシュボタンに作用する押圧力が中間部材を介して操作ロッドから駆動ロッドに伝達され、レバーおよびＰＣカード抜去用プレートが駆動される場合、操作ロッドと駆動ロッドとがケースの内面に沿って案内されるため、中間部材との当接部で中折れ状態とはならない。しかし、当接部に作用する力をケースの内面で受けるため、ケースに無理な力が偏って作用する。また、従来のエジェクト機構は、いずれも操作ロッドおよび駆動ロッドを中間部材とともにケース内に収容し、このケースの内面に沿って案内するため、多くの部品を必要としている。このため、近年における電子機器の小形化および高機能化の要請に応えることのできるカードコネクタが必要とされている。
【０００６】
本発明は、これらの事情に基づいてなされたもので、構造が簡単で安価に製造することができ、しかも、構成部材に無理な力を作用させることのないエジェクト機構付きカードコネクタを提供することを目的とする。
【０００７】
【課題を解決するための手段】
上記目的を解決するため、本発明のエジェクト機構付きＰＣカード用カードコネクタは、ＰＣカードに接続される複数の端子ピンが配列されたヘッダ部と、このヘッダ部の両側端部から延びＰＣカードの側縁部をＰＣカードの挿抜方向に沿って案内する一対の対向した腕部とを有するコネクタフレームと、ＰＣカードに係合する係合部を有し、ＰＣカードの挿抜方向に沿って案内されるエジェクト板と、エジェクト板と回動自在に連結される連結部と、この連結部から離隔した位置で前記ヘッダ部に回動可能に支えられる支持部と、この支持部から連結部の反対側に延びてコネクタフレームの側方に突出する突出部とを有するリンク部材と、コネクタフレームの側方でヘッダ部に近接して配置される内端部と、ヘッダ部から離隔配置され且つ押圧力を受ける外端部とを有し、ヘッダ部から離隔する外方に繰出される繰出し位置とヘッダ部に近接する内方に押込まれる押込み位置との間で移動されるプッシュロッドと、繰出し位置に向けてプッシュロッドを付勢する付勢手段と、外端部から受ける押圧力によりプッシュロッドが繰出し位置から押込み位置に向けて移動される時に、リンク部材を介してエジェクト板をＰＣカードの抜去方向に移動し、プッシュロッドが押込み位置に配置され且つ押圧力を解除された時に、押込み位置よりも僅かに側方に配置される保持位置にプッシュロッドを係止し、保持位置のプッシュロッドが外端部を介して押圧力を受けた時に、プッシュロッドの係止を解除してプッシュロッドを繰出し位置に復帰させる作動装置とを具備し、前記作動装置は、リンク部材の突出部と当接可能にプッシュロッドの内端部に配置され且つプッシュロッドの移動方向に沿って内端部と一体で移動するとともにプッシュロッドの移動方向と略直角な方向に沿って内端部に対してリニアに移動可能なアクチュエータ部材と、アクチュエータ部材を移動させるカムとを備え、前記カムは、プッシュロッドが繰出し位置から押し込み位置に移動される時に、アクチュエータ部材がプッシュロッドの移動方向で内端部により少なくとも２点で支持され且つプッシュロッドの移動方向でリンク部材の突出部と当接するようにアクチュエータ部材を移動させる駆動部と、プッシュロッドが押込み位置に配置され且つ押圧力を解除された時に、アクチュエータ部材をリンク部材の突出部と当接不能な位置に係止して、プッシュロッドを保持位置に係止するとともにプッシュロッドが繰出し位置に復帰するのを阻止する係止部と、保持位置のプッシュロッドが外端部を介して押圧力を受けた時に、アクチュエータ部材の係止を解除してこれを前記駆動部に向けて案内するとともに、プッシュロッドを繰出し位置に復帰させる復帰部とを有する。
【０００８】
【実施の形態】
以下、図面を参照しつつ、本発明の実施形態について説明する。
図１〜図８は本発明の一実施形態に係るカードコネクタ１０を示している。図１に示すように、本実施形態のカードコネクタ１０は、ＰＣカードＣに接続する複数の端子ピン１２が幅方向に沿って配列されたヘッダ部１４と、このヘッダ部１４の両側端部から外方に延びる一対の対向した腕部１６，１６とを有するコネクタフレーム１８を備えている。
【０００９】
ヘッダ部１４は、絶縁材により互いに同一構造に形成され且つＰＣカードＣの厚さ方向に重ねて配置された２つのヘッダボディ１４ａ，１４ａを有している  （図４参照）。各ヘッダボディ１４ａは、その先端側が小プリント基板２０のスルーホール２８（図４参照）に挿通されて半田付けされる前記複数の端子ピン１２を保持している。また、各ヘッダボディ１４ａの後端側は、腕部１６により両側端部で一体的に連結されている。すなわち、２つのヘッダボディ１４ａ，１４ａは、小プリント基板２０と一対の腕部１６，１６とにより、強固な一体構造に形成されている。
【００１０】
なお、小プリント基板２０の両側端部から突出する突片２１（図４参照）は、ヘッダボディ１４ａに設けられた突条１５（図１参照）に沿って案内されるガイドとして作用するとともに、互いに重ねられたヘッダボディ１４ａ，１４ａを所定間隔に保持する作用をなす。また、小プリント基板２０がヘッダボディ１４ａに完全に装着された状態では、この突片２１が突条１５に設けられた小突起（図示しない）により係止され、所定位置に保持される。また、腕部１６の先端部からは略平行な２本の金属板製の結合腕（図示せず）が突出されており、これらの結合腕が各ヘッダボディ１４ａの端部で開口する結合孔９６（図４参照）内に挿入されることにより、互いに重ねられた２つのヘッダボディ１４ａ，１４ａが小プリント基板２０の反対側で結合される。
【００１１】
各腕部１６は、互いに同一構造に形成され、それぞれのガイド溝２２（図４参照）を互いに対向させて配置されている。したがって、各種の厚さのＰＣカードＣは、その側縁部をこれらのガイド溝２２で案内され、挿抜方向Ｅに沿って移動することができる。
【００１２】
なお、図中２４はシールドプレート、２６はＰＣカードＣの表面に接触するカードバスシールドであり、いずれも所定間隔で突出する接地ピンが小プリント基板２０のスルーホールに挿通されて半田付けされる。
【００１３】
ヘッダ部１４からＰＣカードＣを抜去するためのエジェクト機構３０は、薄い金属板で形成されたエジェクト板３２とリンク部材４０とを備えている。
エジェクト板３２は、ヘッダボディ１４ａの両側縁部に摺動自在に装着されている。特に本実施形態において、エジェクト板３２は、その両側縁部に形成されたフック状の爪部がヘッダボディ１４ａの側縁部に形成されたガイド溝内に嵌合され、ＰＣカードＣの挿抜方向Ｅに沿って案内される。
【００１４】
図４に示すように、エジェクト板３２はその全体が段付き構造に形成されている。図１および図５にも示すように、エジェクト板３２の段部３２ａの両側の板部からはそれぞれ、ＰＣカードＣの端面と係合する一対の係合部３６がヘッダボディ１４ａ側に向かって突出している。これらの係合部３６は、エジェクト板３２の両側縁部の近部でエジェクト板３２の板材から切り起こして形成され、エジェクト板３２をヘッダボディ１４ａに装着した時にヘッダボディ１４ａに形成された収容溝３８内に収容される。また、エジェクト板３２の段部３２ａの近部には、リンク部材４０との干渉を防止する凹部３２ｂが形成されている。エジェクト板３２の略中央部には、リンク部材４０を回動自在に連結するための略矩形状の開口３９が形成されている。
【００１５】
一方、リンク部材４０は、薄い金属板により、エジェクト板３２とは逆向きの段付き構造に形成されている。リンク部材４０の段部４０ａの近部には、エジェクト板３２の段部３２ａと噛合い且つエジェクト板３２との干渉を防止する凹部４０ｂが形成されている。なお、本実施形態では、それぞれの凹部３２ｂ，４０ｂ内に相手方の段部４０ｂ，３２ｂが収容されると、これらの段部４０ｂ，３２ｂの両側の板部が互いにほぼ平行な状態に重なる。
【００１６】
エジェクト板３２とヘッダボディ１４ａとの間に配置されるリンク部材４０の板部は、エジェクト板３２側に突出する突部４２を有し、また、ヘッダボディ１４ａ側に突出する係合部４４（図４参照）を先端部に有している。突部４２は、エジェクト板３２の開口３９内に収容されて、エジェクト板３２と回動自在に連結される連結部を形成している。また、エジェクト板３２とリンク部材４０との間で滑らかに力が伝達されるように、突部４２は、開口３９の内縁部に当接するその外周面が湾曲されて形成されている。また、係合部４４は、エジェクト板３２が前記連結部を介してＰＣカードＣの抜去方向に移動された時に、エジェクト板３２の係合部３６よりもさらに外方に移動し、ＰＣカードＣをより大きく抜去する。
【００１７】
リンク部材４０の段部４０ａの近部には、ヘッダボディ１４ａから突出する支持軸部４７が貫通する開口（支持部）４６が形成されている。支持軸部４７が開口４６を貫通することにより、リンク部材４０は、ヘッダボディ１４ａに対して回転可能に支持される。なお、開口４６をリンク部材４０に形成することに代え、リンク部材４０の先端側の縁部に湾曲凸部を形成し、ヘッダボディ１４ａから直立させた壁部でこの湾曲凸部を回転自在に支えるようにしても良い。この場合には支持軸部４７が不要となる。
【００１８】
リンク部材４０の端部には突出部が設けられている。この突出部は、ヘッダボディ１４ａの側方に突出する突片部４８と、突片部４８に係着され且つ腕部１６に沿って延びる第１のプッシュロッド１００とからなる。具体的に説明すると、図４および図６に示すように、突片部４８の端部にはフック状に折り曲げられたフック部４８ａが形成され、このフック部４８ａが第１のプッシュロッド１００の端部に形成された長穴１０２に係合されている。
【００１９】
また、エジェクト機構３０は、リンク部材４０に係着された第１のプッシュロッド１００を作動させる第２のプッシュロッド５０を有している。この第２のプッシュロッド５０は、図１に示すように、第１のプッシュロッド１００の端部と当接可能なアクチュエータ部材７４を有する内端部５２と、この内端部５２から外方に延びる作動アーム５４と、第２のプッシュロッド５０を外方に付勢するコイルばね５６とを有する。また、作動アーム５４の外端部にはプッシュボタン５８が取付けられている。
【００２０】
ＰＣカードＣをコネクタ１０に装着した状態でも、ＰＣカードＣの非装着時と同じ位置にプッシュボタン５８を配置し、ＰＣカードＣを抜去するときにのみプッシュボタン５８を外方に突出させるために、作動装置がエジェクト機構３０に設けられる。
【００２１】
作動装置は、第２のプッシュロッド５０の内端部５２と、腕部１６の側方で延在する側部突出部６０とによって構成されている。側部突出部６０は、案内レールとして腕部１６側に形成されたガイド溝６２と、このガイド溝６２と反対側の側縁部６４とを有し、これらの平行な案内レール６２，６４に沿って第１のプッシュロッド５０の内端部５２を案内する。また、図３に明確に示すように、側部突出部６０の上面には、内端部５２のアクチュエータ部材７４を案内するカム溝６６が形成されている。さらに、側部突出部６０の内端側には、第１のプッシュロッド１００を下側から支持してガイドする断面が凹状のガイド部材１１０が設けられている。
【００２２】
図７に詳細に示すように、プッシュロッド５０の内端部５２は、案内レール６２，６４に沿って摺動する断面が凹状のスライダ部７０と、このスライダ部７０内に装着されたアクチュエータ部材７４とから成る。したがって、プッシュボタン５８が内方に押圧されると、作動アーム５４を介して、スライダ部７０が側部突出部６０上を案内レール６２，６４に沿って摺動する。すなわち、プッシュロッド５０が腕部１６に沿って摺動する。なお、図１〜図３に示すように、腕部１６の外端部には、コイルばね５６を支え且つ内端部５２（スライダ部７０）をコイルばね５６の付勢力に抗して係止するストッパ６８が設けられている。また、プッシュロッド５０の移動限度を規定し、内端部５２のアクチュエータ部材７４等に無理な力が作用するのを防止するストッパを設けることが望ましい。
【００２３】
特に図６および図７に示すように、スライダ部７０の底壁部７０ａには、スライダ部７０の幅方向に沿って延びる開口１１２が形成されている。この開口１１２内には、カム溝６６に係合する従動ピン７６を有するアクチュエータ部材７４が、スライド可能に収容されている。すなわち、アクチュエータ部材７４は、開口１１２内をスライダ部７０の幅方向に沿ってスライドすることができる。また、開口１１２の両側に位置するスライダ部７０の側壁部７０ｂ，７０ｃには、アクチュエータ部材７４の側方への突出を可能にする開口１１５，１１６が形成されている。また、アクチュエータ部材７４は、例えばアクチュエータ部材７４の上側を覆う天板１１４に固定されたばね７１により、側部突出部６０に向けて付勢されている。したがって、スライダ部７０が移動する時に、従動ピン７６はカム溝６６の底壁に沿って摺動する。なお、スライダ部７０は、金属板から折曲げ形成するのが好ましく、ヘッダボディ１４ａ側の案内レールすなわちガイド溝６２内に緩く嵌合する摺動縁部８２と、反対側の案内レールすなわち側縁部６４を底壁部７０ａとの間で緩く挟持する摺動縁部８４とを有している。また、図１〜図３に示すように、腕部１６には、開口１１６を通じたアクチュエータ部材７４の腕部１６側への突出を許容し且つアクチュエータ部材７４を第１のプッシュロッド１００の移動経路から逃がすための溝１２０が設けられている。
【００２４】
図３に詳細に示すように、カム溝６６は、側部突出部６０の長手方向に沿って直線状に延びる駆動部６６ａと、小プリント基板２０側に配置された係止部６６ｂと、この係止部６６ｂから小プリント基板２０の反対側に向けて延びる湾曲した復帰部６６ｃとから連続した溝状に形成されている。アクチュエータ部材７４の従動ピン７６は、プッシュロッド５０の移動とともにこのカム溝６６内を矢印方向に沿って移動する。駆動部６６ａから係止部６６ｂに移行する遷移部および復帰部６６ｃから駆動部６６ａに移行する遷移部にはそれぞれ、従動ピン７６が矢印の反対方向に移動するのを防止する傾斜部６９が設けられている。このため、従動ピン７６は、駆動部６６ａから復帰部６６ｃへの移動および係止部６６ｂから駆動部６６ａへの移動が完全に阻止される。
【００２５】
次に、図８を参照しながら、上記構成のカードコネクタ１０の動作について説明する。
図８の（ａ）に示すように、アクチュエータ部材７４の従動ピン７６は通常はカム溝６６の係止部６６ｂ内に配置されており、アクチュエータ部材７４はその一部がスライダ部７０の開口１１６から溝１２０内に突出している。また、この状態では、第２のプッシュロッド５０が保持位置に配置され、プッシュロッド５０の外端部に取付けられたプッシュボタン５８が内方に押込められた状態を維持している。さらに、この状態では、リンク部材４０に係着された第１のプシュロッド１００がアクチュエータ部材７４と干渉することなくスライダ部７０内を長手方向に自由に移動することができる。すなわち、リンク部材４０およびエジェクト板３２は自由に移動することができる。このため、ＰＣカードＣをこのカードコネクタ１０に挿入すると、ＰＣカードＣは、エジェクト板３２の係合部３６を押圧しつつリンク部材４０を回動させ（第１のプッシュロッド１００を外方に移動させ）、端子ピン１２と嵌合することができる。
【００２６】
カードコネクタ１０からＰＣカードＣを抜去するために、プッシュボタン５８を軽く押圧すると、アクチュエータ部材７４の従動ピン７６は、係止部６６ｂから押出され、プッシュロッド５０に作用するコイルばね５６の付勢力により、復帰部６６ｃ内を外方に向けて移動する（図８の（ｂ）参照）。その後、従動ピン７６は、復帰部６６ｃを通じて駆動部６６ａ内に導入され、スライダ部７０がストッパ６８に係止した時点で駆動部６６ａの最外端部に位置する。この状態が図８の（ｃ）に示されている。この時、プッシュボタン５８はヘッダ部１４から離隔する方向に大きく外方に突出した繰出し位置に配置される。また、アクチュエータ部材７４はスライダ部７０内に完全に収容される。
【００２７】
この図８の（ｃ）の状態からプッシュボタン５８を押圧すると、従動ピン７６がカム溝６６の駆動部６６ａに沿って案内され、アクチュエータ部材７４が第１のプッシュロッド１００を内方へと移動させる。この時、アクチュエータ部材７４は、その後端側が開口１１２によって形成されるスライダ部７０の端面すなわち底壁部７０ａの端面９７および側壁部７０ｂ，７０ｃの端面９８，９９によって支持された状態（従動ピン７６の高さによっては側壁部７０ｂ，７０ｃの端面９８，９９によって２点支持された状態）で、プッシュロッド１００を押し込むため、第１のプッシュロッド１００からの抗力はこれら端面によって正面から直接に受けられ、カム溝６６や従動ピン７６等に無理な力が作用することが防止される。
【００２８】
このようにしてプッシュロッド１００が内方へと移動されると、すなわち、リンク部材４０の突片部４８がアクチュエータ部材７４によって移動されると、リンク部材４０が支持軸部４７を中心として回動し、エジェクト板３２が外方に向けて移動される。したがって、ＰＣカードＣは、エジェクト板３２の係合部３６で内端部が係止されてこのエジェクト板３２とともに外方へと押出される。そして、プッシュロッド５０が押込み位置まで完全に押圧されると、ＰＣカードＣが端子ピン１２から抜去された後、リンク部材４０の先端部に設けられた係合部４４がさらにＰＣカードＣを外方に押出す。
【００２９】
プッシュロッド５０が押込み位置まで完全に押圧された状態でプッシュボタン５８の押圧力が解除されると、コイルばね５６の付勢力により従動ピン７６が係止部６６ｂに配置される。したがって、アクチュエータ部材７４は、その一部がスライダ部７０の開口１１６から溝１２０内に突出されて、第１のプッシュロッド１００の移動経路から逃がされる。また、プッシュロッド５０は再度保持位置に配置される。また、この保持位置では、プッシュボタン５８は完全に押込まれた押込み位置よりも僅かに外方に配置される。
【００３０】
以上説明したように、本実施形態のカードコネクタ１０では、スライダ部７０の開口１１２内をスライダ部７０の幅方向に沿ってリニアに移動するアクチュエータ部材７４が設けられ、このアクチュエータ部材７４がスライダ部７０のスライド方向に沿う端面で少なくとも２点支持されつつ、アクチュエータ部材７４によってプッシュロッド１００が押し込められてエジェクト機構３０が動作される。すなわち、第１のプッシュロッド１００からの抗力がスライダ部７０の端面にそのスライド方向で作用する。したがって、ＰＣカード抜去時に構成部材に無理な力が偏って作用せず、力の伝達が良好となる。
【００３１】
また、本実施形態では、ＰＣカードＣを抜去するために、プッシュロッド５０内のアクチュエータ部材７４がカム溝６６に沿って案内されつつリニアに動作し、アクチュエータ部材７４によって押し込められる第１のプッシュロッド１００によってリンク部材４０が作動されてエジェクト板３２が作動される。したがって、ＰＣカードＣを抜去する時にのみプッシュボタン５８を突出可能なエジェクト機構付カードコネクタを、極めて作動信頼性の高い簡単な構造で安価に製造することが可能となる。
【００３２】
なお、本実施形態では、第２のプッシュロッド５０によって第１のプッショロッド１００が移動されてエジェクト機構３０が動作されるが、第２のプッシュロッド５０の押圧力がリンク部材４０に作用する構成であれば、どのような構成であっても良い。すなわち、リンク部材４０の端部に設けられる突出部は、突片部４８と突片部４８に係着されるプッシュロッド１００とに限らず、例えば、第２のプッシュロッド５０と当接するようにリンク部材４０から一体で延出する延出部であっても良い。また、第２のプッシュロッド５０からの力をリンク部材４０に作用させる何等かの力伝達機構を設けても良い。
【００３３】
また、本実施形態では、側部突出部６０の上面にカム溝６６が形成され、側部突出部６０の上面に沿ってスライダ部７０が摺動するが、これに限らず、例えば、側部突出部６０の側面にカム溝６６が形成され、側部突出部６０の側面に沿って垂直方向にスライダ部７０が摺動して第１のプッショロッド１００を移動させるようにしても良い。
【００３４】
【発明の効果】
以上明らかなように、本発明のカードコネクタは、構造が簡単で安価に製造することができ、しかも、構成部材に無理な力を作用させないで済む。
【図面の簡単な説明】
【図１】本発明の一実施形態に係るカードコネクタの平面図である。
【図２】第２のプッシュロッドが一部断面で示された図１のカードコネクタの平面図である。
【図３】第２のプッシュロッドが取り外された状態の図１のカードコネクタの平面図である。
【図４】図１のカードコネクタをプリント基板に取付ける状態の説明図である。
【図５】図１のカードコネクタのヘッダ部に取り付けられるエジェクト機構のリンク部材およびエジェクト板の平面図である。
【図６】図１のＡ方向から見たエジェクト機構の側面図である。
【図７】第２のプッシュロッドの要部を示す斜視図である。
【図８】第２のプッシュロッドの動作を段階的に示した断面図である。
【符号の説明】
１０…カードコネクタ、１２…端子ピン、１４…ヘッダ部、１４ａ…ヘッダボディ、１６…腕部、１８…コネクタフレーム、２０…小プリント基板、２２…ガイド溝、３０…エジェクト機構、３２…エジェクト板、４０…リンク部材、４８…突片部、５０…第２のプッシュロッド、５２…内端部、６０…側部突出部、６６…カム溝、６６ａ…駆動部、６６ｂ…係止部、６６ｃ…復帰部、７０…スライダ部、７４…アクチュエータ部材、７６…従動ピン、１００…第１のプッシュロッド、Ｃ…ＰＣカード。
【図１】
0003909923.tif 000002
【図２】
0003909923.tif 000003
【図３】
0003909923.tif 000004
【図４】
0003909923.tif 000005
【図５】
0003909923.tif 000006
【図６】
0003909923.tif 000007
【図７】
0003909923.tif 000008
【図８】
0003909923.tif 000009